(57)【要約】【課題】コインに十分な重量感及び強度を持たせる。【解決手段】外殻をなす合成樹脂製のコイン本体２と、コイン本体２に埋め込まれて自己の識別情報等を記録するＩＣタグ３と、アンテナ５とからなる。ＩＣタグ３は、自己の識別情報等を記録する。アンテナは、ＩＣタグ３に接続されてコイン本体２の全域又は最外側に配設された構成とした。アンテナ５には重量を持たせた。ＩＣタグ３は、コイン本体２の一側面に設けられた凹部１９に透明の絶縁体を介して埋め込んで装飾の一部とした。【選択図】    図１
2004147925.tif 000002
【特許請求の範囲】
【請求項１】
外殻をなす合成樹脂製のコイン本体と、当該コイン本体に埋め込まれて自己の識別情報等を記録するＩＣタグと、
当該ＩＣタグに接続されて上記コイン本体の全域又は最外側に配設されたアンテナとから構成されたことを特徴とするＩＣタグ入りコイン。
【請求項２】
請求項１に記載のＩＣタグ入りコインにおいて、
上記アンテナに重量を持たせたことを特徴とするＩＣタグ入りコイン。
【請求項３】
コイン本体と、当該コイン本体の一側面に設けられた凹部と、当該凹部に透明の絶縁体を介して埋め込まれて自己の識別情報等を記録すると共に装飾の一部となるＩＣタグとを備えて構成されたことを特徴とするＩＣタグ入りコイン。
【請求項４】
請求項３に記載のＩＣタグ入りコインにおいて、
上記凹部に装着されるＩＣチップと、当該ＩＣチップの上に設けたオンチップアンテナとからなることを特徴とするＩＣタグ入りコイン。
【請求項５】
ＩＣタグを基材に搭載し、導体を折り曲げて外周だけに又は同心円を描くように一筆書きでアンテナを製作して上記ＩＣタグと接続した後、成形型に入れて合成樹脂を注入し、同時に成形型で押して装飾をつけることを特徴とするＩＣタグ入りコインの製造方法。
【請求項６】
請求項５に記載のＩＣタグ入りコインの製造方法において、上記成形型にＩＣタグ及びアンテナを入れる際に、ＩＣタグ又はＩＣタグ及びアンテナを支持すると共に、合成樹脂注入時に溶けて合成樹脂と一体となる支持台を備えたことを特徴とするＩＣタグ入りコインの製造方法。
【請求項７】
型どられた外形プラスチックの開いている部分からＩＣタグを入れ、その後に、開いている部分を埋めるプラスチックをラミネートして一体成形し、又は、隙間を埋めるプラスチックを入れた後、開いている部分の外壁をラミネート成形することを特徴とするＩＣタグ入りコインの製造方法。
【発明の詳細な説明】
【０００１】
【発明の属する技術分野】
本発明は、スロットマシン、パチスロ等のゲームを行う遊技機に使用されるコインであって、内部にＩＣタグを組み込んだＩＣタグ入りコインに関する。
【０００２】
【従来の技術】
スロットマシン、パチスロ等のゲームを行う遊技機においては、コインが使用されている。しかし、コインの場合、紛失や偽造等が少なくないため、コインを管理する目的で、コインの内部に穴をあけてＩＣタグを組み込み、樹脂で埋めたＩＣタグ入りコインの技術が開示されている。
【０００３】
コインの内部のＩＣタグには自己の識別情報等が記録されている。この識別情報等に基づいて個々のコインが管理され、紛失や偽造等が防止される。
【０００４】
【発明が解決しようとする課題】
ところで、上記従来のＩＣタグ入りコインでは、コインの中心部分が合成樹脂で成形されているため、十分な強度が出ないという問題点がある。
【０００５】
本発明は、このような点に鑑みてなされたもので、十分な重量感及び強度を持たせることができるＩＣタグ入りコイン及びその製造方法を提供することを目的とする。
【０００６】
【課題を解決するための手段】
第１の発明に係るＩＣタグ入りコインは、外殻をなす合成樹脂製のコイン本体と、当該コイン本体に埋め込まれて自己の識別情報等を記録するＩＣタグと、当該ＩＣタグに接続されて上記コイン本体の全域又は最外側に配設されたアンテナとから構成されたことを特徴とする。
【０００７】
上記構成により、アンテナをコイン本体の全域又は最外側に配設したので、アンテナが芯材となって十分な強度を持たせることができると共に、アンテナの重さによってコインに重量感を持たせることができる。
【０００８】
第２の発明に係るＩＣタグ入りコインは、第１の発明に係るＩＣタグ入りコインにおいて、上記アンテナに重量を持たせたことを特徴とする。
【０００９】
上記構成により、アンテナに重量を持たせたので、コインに十分な重量感を持たせることができる。
【００１０】
第３の発明に係るＩＣタグ入りコインは、コイン本体と、当該コイン本体の一側面に設けられた凹部と、当該凹部に透明の絶縁体を介して埋め込まれて自己の識別情報等を記録すると共に装飾の一部となるＩＣタグとを備えて構成されたことを特徴とする。
【００１１】
上記構成において、コイン本体は、プラスチックや金属で成形する。特に、金属製のコイン本体とすることで、十分な強度と重量感を持たせることができる。さらに、ＩＣタグがコインの表面の装飾の一部となる。これにより、ＩＣタグが組み込まれていることが外部から明確になり、コインの偽造が容易でないことが分かるため、偽造に対して視覚的な抑止力を発揮することができる。
【００１２】
第４の発明に係るＩＣタグ入りコインは、第３の発明に係るＩＣタグ入りコインにおいて、上記凹部に装着されるＩＣチップと、当該ＩＣチップの上に設けたオンチップアンテナとからなることを特徴とする。
【００１３】
上記構成により、上記ＩＣタグが上記凹部に装着された状態で、アンテナが凹部からはみ出すことがなくなり、ＩＣタグをコインにコンパクトに収納することができる。
【００１４】
第５の発明に係るＩＣタグ入りコインの製造方法は、ＩＣタグを基材に搭載し、導体を折り曲げて外周だけに又は同心円を描くように一筆書きでアンテナを製作して上記ＩＣタグと接続した後、成形型に入れて合成樹脂を注入し、同時に成形型で押して装飾をつけることを特徴とする。
【００１５】
上記構成により、ＩＣタグの入ったコインを確実に製造することができる。
【００１６】
第６の発明に係るＩＣタグ入りコインの製造方法は、第５の発明に係るＩＣタグ入りコインの製造方法において、上記成形型にＩＣタグ及びアンテナを入れる際に、ＩＣタグ又はＩＣタグ及びアンテナを支持すると共に、合成樹脂注入時に溶けて合成樹脂と一体となる支持台を備えたことを特徴とする。
【００１７】
上記構成により、支持台でＩＣチップ又はＩＣチップ及びアンテナを支持した状態で、ＩＣチップ及びアンテナが成形型に装着されるため、ＩＣチップ及びアンテナを正確に位置決めすることができる。また、支持台は、合成樹脂注入時に溶けて合成樹脂と一体となるため、製造されたコインの表面に痕跡が残ることもなく、良好に仕上げることができる。
【００１８】
第７の発明に係るＩＣタグ入りコインの製造方法は、型どられた外形プラスチックの開いている部分からＩＣタグを入れ、その後に、開いている部分を埋めるプラスチックをラミネートして一体成形し、又は、隙間を埋めるプラスチックを入れた後、開いている部分の外壁をラミネート成形することを特徴とする。
【００１９】
上記構成により、会員カードの代替としてのコインを容易に製造することができる。
【００２０】
【発明の実施の形態】
以下、本発明に係るＩＣタグ入りコイン及びその製造方法について、添付図面を参照しながら詳述する。
【００２１】
［第１の実施形態］
図１は本実施形態に係るＩＣタグ入りコインの製造方法を示す工程図、図２は本実施形態に係るＩＣタグ入りコインの使用態様を示す側面図、図３は本実施形態に係るＩＣタグ入りコインの使用態様を示す側面図である。
【００２２】
本実施形態に係るＩＣタグ入りコイン１は、図１に示すように、外殻をなす合成樹脂製のコイン本体２と、当該コイン本体２に埋め込まれるＩＣタグ３と、アンテナ５とから構成されている。
【００２３】
ＩＣタグ３は、自己の識別情報等を記録するための素子である。ＩＣタグ３は基盤（図示せず）に取り付けられている。基盤としては、ＩＣ実装フィルム等の非金属を用いる。アンテナ５は、ＩＣタグ３に接続されてコイン本体２内に配設されている。アンテナ５は、コイン本体２の全域に亘って設けられている。
【００２４】
アンテナ５には重量を持たせている。具体的には、アンテナ５を、太さ１ｍｍ程度の銅又は鉄の棒材を折り曲げて同心円を描くように一筆書きで構成すると共に、外壁を覆い内部にも多用してアンテナ５に重量を持たせている。このとき、ＩＣタグを同心円上のアンテナの間に置き、真ん中の中心部は、空けておく。これにより、渦巻き状のアンテナ５がＩＣタグ入りコイン１の全域に亘り、ＩＣタグ入りコイン１に重量感を出している。
【００２５】
このアンテナ５は、ＩＣタグ３に、はんだ付け等で接続されて、合成樹脂製のコイン本体２に埋め込まれる。
【００２６】
ＩＣタグ３には支持台７が設けられる。この支持台７は、成形型８にＩＣタグ３及びアンテナ５を入れる際に、それらを支持するための部材である。ＩＣタグ３に設けられた支持台７は、成形型８の下型８ＡにＩＣタグ３及びアンテナ５が装着された状態で、ＩＣタグ３を支持してＩＣタグ３及びアンテナ５を位置決めする。なおここでは、支持台７をＩＣタグ３にだけ設けたが、ＩＣタグ３と共にアンテナ５にも設けるようにしてもよい。
【００２７】
支持台７は、成形型８に合成樹脂が注入された時にある程度溶けて、ＩＣタグ３を支持しながら合成樹脂と一体となる材料で成形する。具体的には、注入される合成樹脂の固化温度付近が溶解温度である材料を用いる。例えば、注入される合成樹脂と同じ材料等を用いる。
【００２８】
［製造方法］
以上のように構成されたＩＣタグ入りコイン１は、次の製造方法によって製造される。
【００２９】
まず、ＩＣタグ３を基材に搭載し、接着剤等で固定する。
【００３０】
次に、アンテナ５を製作する。導体を折り曲げて、同心円を描くように一筆書きで構成し、ＩＣタグ３にはんだ付け等で接続する。
【００３１】
次いで、ＩＣタグ３に支持台７を取り付けて成形型８の下型８Ａに入れ、上型８Ｂを合わせる。次いで、成形型８の上型８Ｂの注入孔８Ｃから合成樹脂を注入する。成形型８の内部に完全に充填するまで合成樹脂を注入する。その後、冷却して固化させると同時に上型８Ｂと下型８Ａとを互いに押して、飾り、装飾をつけてコインにする。このとき、アンテナ５の部分が、合成樹脂からはみ出して外部から見えないようにする。
【００３２】
このようにして製造したＩＣタグ入りコイン１は、図２に示すように、遊技機１０のコイン投入口１１から投入されるときに、コイン投入口１１に隣接して設けられた非接触通信装置１２で識別情報等が読み取られて、管理される。また、図３に示すサンド１３の場合も同様に、ＩＣタグ入りコイン１がコイン投入口１４から投入されるときに、コイン投入口１４に隣接して設けられた非接触通信装置１５で識別情報等が読み取られて、管理される。
【００３３】
［効果］
以上のように、支持台７を用いて支持するため、ＩＣタグ３及びアンテナ５を正確な位置に位置決めした状態で、ＩＣタグ入りコイン１を製造することができる。
【００３４】
また、アンテナ５を重くしたので、ＩＣタグ入りコイン１に重量感を持たせることができると共に、強度を増すことができる。
【００３５】
［第２の実施形態］
次に、本発明の第２の実施形態について図４を基に説明する。
【００３６】
本実施形態に係るＩＣタグ入りコイン１７は金属製である。金属製コインで十分な重量感を持たせた上で、ＩＣタグを組み込んだものである。
【００３７】
ＩＣタグ入りコイン１７は、金属製のコイン本体１８と、このコイン本体１８の一側面に設けられた凹部１９と、この凹部１９に埋め込まれたＩＣタグ２０とから構成されている。
【００３８】
コイン本体１８は、通常の金属製のコインを用いる。即ち、表面と裏面に装飾を施した通常のコインを用いる。
【００３９】
凹部１９は、コイン本体１８の一側面に設けられるが、その位置及び大きさは、凹部１９に埋め込まれるＩＣタグ２０がコインの装飾の一部となるように設定されている。
【００４０】
ＩＣタグ２０は、アンテナ２２と接続される。アンテナ２２は、図４（Ｂ）に示すように、ＩＣチップ２１の上に設けたオンチップアンテナによって構成してもよく、図４（Ｃ）に示すように、ＩＣタグ２０の回りにコンパクトに形成して、凹部１９に納まる程度の大きさに設計してもよい。
【００４１】
ＩＣタグ２０は、凹部１９に透明の絶縁体を介して埋め込まれている。この透明の絶縁体としては、絶縁性を有する透明の接着剤を用いる。透明の接着剤でＩＣタグ２０を、凹部１９に位置決めした状態で固定する。
【００４２】
このように、コイン本体１８を金属製にすることで、十分な強度と重量感を持たせることができる。ＩＣタグ２０をコインの表面の装飾の一部となることで、違和感なく、ＩＣタグ２０をコイン本体１８に組み込むことができる。さらに、ＩＣタグ２０が組み込まれていることが外部から明確になり、コインの偽造が容易でないことが分かるため、偽造に対して視覚的な抑止力を発揮することができる。
【００４３】
また、アンテナ２２を、凹部１９に納まる程度の大きさに設計し、又はオンチップアンテナにしたので、ＩＣチップ２１が凹部１９に装着された状態で、アンテナ２２が凹部１９からはみ出すことがなくなり、ＩＣチップ２１をコインにコンパクトに収納することができる。
【００４４】
［第３の実施形態］
次に、本発明の第３の実施形態について図８を基に説明する。
【００４５】
ＩＣチップ２１の外側は合成樹脂で全体を覆う。型どられた外形プラスチックの開いている部分からＩＣチップ２１を入れる。その後に、開いている部分を埋めるプラスチックをラミネートして一体成形する。又は、隙間を埋めるプラスチックを入れた後、開いている部分の外壁をラミネート成形する。
【００４６】
これにより、コインを容易に製造することができる。
【００４７】
［変形例］
（１）  上記第１の実施形態では、アンテナ５をコイン本体２の全域に設けたが、図５及び図６に示すように、コイン本体２の外周（最外側）だけに設けてもよい。この場合、アンテナ特性を維持した状態で、なるべく大きな直径の線材を使用する。これにより、コインの外周部分に重いアンテナの線材が位置し、コインに十分な重量感を持たせることができる。
【００４８】
（２）  上記第１の実施形態では、成形型８の下型８Ａには、特にアンテナ５を支持する部材を設けなかったが、図７に示すように、下型８Ａの内壁に支持用突起８Ｄを設けて、この支持用突起８Ｄでアンテナ５の外周縁を支持して合成樹脂を注入するようにしてもよい。この場合も、支持台７と同様に、アンテナ５を正確に位置決めすることができる。
【００４９】
（３）  上記第２の実施形態では、コイン本体１８を金属製にしたが、プラスチック製でもよい。
【００５０】
また、凹部１９は、コイン本体１８を貫通させてもよい。この場合、凹部１９がコインの表面及び裏面の両方の装飾の一部となる。
【００５１】
【発明の効果】
以上、詳述したように本発明によれば、次のような効果を奏する。
【００５２】
（１）  アンテナを重くしたので、ＩＣタグ入りコインに重量感を持たせることができる。
【００５３】
（２）  アンテナをコインの全域に配設したので、強度を増すことができる。
【００５４】
（３）  成形型にＩＣタグ及びアンテナを装着する際に支持台を用いて支持するため、ＩＣタグ及びアンテナを正確な位置に位置決めした状態で、ＩＣタグ入りコインを製造することができる。
【図面の簡単な説明】
【図１】本発明の第１の実施形態に係るＩＣタグ入りコインの製造方法を示す工程図である。
【図２】本発明の第１の実施形態に係るＩＣタグ入りコインの使用態様を示す側面図である。
【図３】本発明の第１の実施形態に係るＩＣタグ入りコインの使用態様を示す側面図である。
【図４】本発明の第２の実施形態に係るＩＣタグ入りコインの製造方法を示す工程図である。
【図５】本発明の第１の実施形態に係るＩＣタグ入りコインのアンテナの変形例を示す斜視図である。
【図６】本発明の第１の実施形態に係るＩＣタグ入りコインのアンテナの変形例を示す側面図である。
【図７】本発明の第１の実施形態に係るＩＣタグ入りコインの成形型の変形例を示す要部断面図である。
【図８】本発明の第３の実施形態に係るＩＣタグ入りコインの変形例を示す側面図である。
【符号の説明】
１：ＩＣタグ入りコイン、２：コイン本体、３：ＩＣタグ、５：アンテナ、７：支持台、８：成形型、８Ａ：下型、８Ｂ：上型、８Ｃ：注入孔、８Ｄ：支持用突起、１７：ＩＣタグ入りコイン、１８：コイン本体、１９：凹部、２０：ＩＣタグ、２１：ＩＣチップ、２２：アンテナ。
【図１】
2004147925.tif 000003
【図２】
2004147925.tif 000004
【図３】
2004147925.tif 000005
【図４】
2004147925.tif 000006
【図５】
2004147925.tif 000007
【図６】
2004147925.tif 000008
【図７】
2004147925.tif 000009
【図８】
2004147925.tif 000010